(57)【特許請求の範囲】
【請求項１】
機種仕様が異なる室内機（20）と室外機（10）とを組み合わせて利用可能な空気調和装置であって、
前記室外機（10）に設けられ、交流電源（40）から電源ライン（40a）を介して電力供給される室外制御回路（13）と、
前記電源ライン（40a）に設けられ、運転停止中に電源ライン（40a）を遮断して前記室外機（10）に電力が供給されない待機状態にするスイッチ（K13R）と、
前記電源ライン（40a）に前記スイッチ（K13R）を迂回するように接続され、互いに切り離された第１及び第２短絡ライン（17a,17b）を含む補助回路（17）と、
前記第１短絡ライン（17a）と第２短絡ライン（17b）とを接続可能なコネクタ（18a）と、
前記第１短絡ライン（17a）と第２短絡ライン（17b）とが接続されていることを検出する短絡検出手段（19）と、
少なくとも前記室内機（20）の機種仕様情報に基づいて、前記待機状態への移行可否を判定し、待機状態に移行可能と判定したときにおいて前記短絡検出手段（19）により第１短絡ライン（17a）と第２短絡ライン（17b）とが接続されていることが検出された場合に、補助回路（17）の接続異常を検知する異常検知手段（23）とを備えていることを特徴とする空気調和装置。
【請求項２】
請求項１に記載の空気調和装置において、
前記短絡検出手段（19）は、グランド（GND）と、外部電源が供給される外部電源端子（19a）と、該外部電源端子（19a）に接続され、外部電源端子（19a）から供給される電源電圧を検知する検知部（19b）と、前記第１短絡ライン（17a）と第２短絡ライン（17b）とを接続すると共にグランド（GND）と外部電源端子（19a）とを接続するように構成された前記コネクタ（18a）とを有することを特徴とする空気調和装置。
【請求項３】
請求項１に記載の空気調和装置において、
前記短絡検出手段（19）は、グランド（GND）と、外部電源が供給される外部電源端子（19a）と、該外部電源端子（19a）に接続され、外部電源端子（19a）から供給される電源電圧を検知する検知部（19b）と、前記第１短絡ライン（17a）と第２短絡ライン（17b）とが接続されたときに発光する発光ダイオード（19d）と、前記外部電源端子（19a）とグランド（GND）との間に接続され、前記発光ダイオード（19d）の光により動作するフォトトランジスタ（19e）とを有することを特徴とする空気調和装置。
【請求項４】
請求項１〜３の何れか１項に記載の空気調和装置において、
リモコン（30）と、
前記異常検知手段（23）が補助回路（17）の接続異常を検知した場合に、該接続異常をリモコン（30）に報知する報知手段（23）とをさらに備えていることを特徴とする空気調和装置。
【発明の詳細な説明】
【技術分野】
【０００１】
本発明は、機種仕様が異なる室内機と室外機とを組み合わせて利用可能な空気調和装置に関する。
【背景技術】
【０００２】
従来より、待機電力を低減する目的で、運転停止中に室外機への電力供給を遮断することができる空気調和装置が知られている。
【０００３】
例えば、特許文献１には、運転停止中に電力供給が遮断される待機電力対応機種で構成された室外機と、電力供給が遮断された室外機に対し電力供給を開始するための起動手段を有する待機電力対応機種で構成された室内機とを備えた空気調和装置が開示されている。
【先行技術文献】
【特許文献】
【０００４】
【特許文献１】特開２０１０−２４３０５１号公報
【発明の概要】
【発明が解決しようとする課題】
【０００５】
ところで、空気調和装置では、機種仕様が異なる室内機と室外機とを組み合わせて利用する場合がある。こうした場合に、待機電力対応機種の室外機と上記起動手段を有しない待機電力未対応機種の室内機とを組み合わせて利用することが考えられる。ところが、待機電力未対応機種の室内機は起動手段を有しないため、室外機を起動させることができないという問題が起きてしまう。  
【０００６】
こうした問題を回避するために、室外機に強制起動機構を設けることが考えられる。しかしながら、こうした強制起動機構の強制起動設定は、空気調和装置の設置作業者が現場で判断して行うため、設置作業者が設定を誤ってしまう虞がある。そして、待機電力対応機種の室外機と待機電力対応機種の室内機とを組み合わせて利用するときに強制起動設定を誤ると、室外機への電力供給を遮断することができる空気調和装置であるのにも拘らず、室外機への電力供給を遮断することができないという事態が起きる。
【０００７】
本発明は、かかる点に鑑みてなされたものであり、その目的とするところは、待機電力対応機種の室外機を強制起動するための強制起動機構を備えた空気調和装置において、強制起動機構の設定ミスを検知して、装置の円滑な運転を可能にして信頼性を向上することである。
【課題を解決するための手段】
【０００８】
第１の発明は、機種仕様が異なる室内機（20）と室外機（10）とを組み合わせて利用可能な空気調和装置を対象とし、前記室外機（10）に設けられ、交流電源（40）から電源ライン（40a）を介して電力供給される室外制御回路（13）と、前記電源ライン（40a）に設けられ、運転停止中に電源ライン（40a）を遮断して前記室外機（10）に電力が供給されない待機状態にするスイッチ（K13R）と、前記電源ライン（40a）に前記スイッチ（K13R）を迂回するように接続され、互いに切り離された第１及び第２短絡ライン（17a,17b）を含む補助回路（17）と、前記第１短絡ライン（17a）と第２短絡ライン（17b）とを接続可能なコネクタ（18a）と、前記第１短絡ライン（17a）と第２短絡ライン（17b）とが接続されていることを検出する短絡検出手段（19）と、少なくとも前記室内機（20）の機種仕様情報に基づいて、前記待機状態への移行可否を判定し、待機状態に移行可能と判定したときにおいて前記短絡検出手段（19）により第１短絡ライン（17a）と第２短絡ライン（17b）とが接続されていることが検出された場合に、補助回路（17）の接続異常を検知する異常検知手段（23）とを備えていることを特徴とする。
【０００９】
第１の発明では、例えばコネクタ（18a）の接続プラグを抜き取り、補助回路（17）の両短絡ライン（17a,17b）を接続していないときには、スイッチ（K13R）の開閉により、室外機（10）への電力供給が行われる状態と、室外機（10）への電力供給が遮断される待機状態とに切り換わる。
【００１０】
一方、補助回路（17）の両短絡ライン（17a,17b）をコネクタ（18a）で接続すると、交流電源（40）からスイッチ（K13R）を迂回して室外制御回路（13）に到る経路が形成される。そのため、スイッチ（K13R）により電源ライン（40a）が遮断されていても、補助回路（17）を介して交流電源（40）から室外制御回路（13）に常時電力が供給される。従って、待機電力未対応機種の室内機（20）と待機電力対応機種の室外機（10）とが接続されていても、室外機（10）が強制的に起動される。即ち、第１の発明では、補助回路（17）とコネクタ（18a）とが強制起動機構を構成する。
【００１１】
また、異常検知手段（23）により待機状態への移行可否が判定される。例えば、待機電力未対応機種の室内機（20）と待機電力対応機種の室外機（10）とが組み合わされているときには、待機状態へ移行不可と判定される。一方、待機状態へ移行可能と判定されたときに、短絡検出手段（19）により両短絡ライン（17a,17b）が接続されていることが検出された場合には、異常検知手段（23）が補助回路（17）の接続異常を検知する。
【００１２】
第２の発明は、第１の発明において、前記短絡検出手段（19）は、グランド（GND）と、外部電源が供給される外部電源端子（19a）と、該外部電源端子（19a）に接続され、外部電源端子（19a）から供給される電源電圧を検知する検知部（19b）と、前記第１短絡ライン（17a）と第２短絡ライン（17b）とを接続すると共にグランド（GND）と外部電源端子（19a）とを接続するように構成された前記コネクタ（18a）とを有することを特徴とする。
【００１３】
第２の発明では、コネクタ（18a）により両短絡ライン（17a,17b）が接続されていないときには、グランド（GND）と外部電源端子（19a）とが非接続状態である一方、コネクタ（18a）により両短絡ライン（17a,17b）が接続されたときには、グランド（GND）と外部電源端子（19a）とが接続状態となる。そのため、検知部（19b）には、コネクタ（18a）により両短絡ライン（17a,17b）が接続されていないときにハイレベルの電圧が入力され、コネクタ（18a）により両短絡ライン（17a,17b）が接続されたときにローレベルの電圧が入力される。
【００１４】
第３の発明は、第１の発明において、前記短絡検出手段（19）は、グランド（GND）と、外部電源が供給される外部電源端子（19a）と、該外部電源端子（19a）に接続され、外部電源端子（19a）から供給される電源電圧を検知する検知部（19b）と、前記第１短絡ライン（17a）と第２短絡ライン（17b）とが接続されたときに発光する発光ダイオード（19d）と、前記外部電源端子（19a）とグランド（GND）との間に接続され、前記発光ダイオード（19d）の光により動作するフォトトランジスタ（19e）とを有することを特徴とする。
【００１５】
第３の発明では、発光ダイオード（19d）とフォトトランジスタ（19e）とでフォトカプラを構成している。そして、コネクタ（18a）により両短絡ライン（17a,17b）が接続されていないときには、発光ダイオード（19d）が発光せず、フォトトランジスタ（19e）が動作しないから、グランド（GND）と外部電源端子（19a）とが電気的に略非接続状態である一方、コネクタ（18a）により両短絡ライン（17a,17b）が接続されたときには、発光ダイオード（19d）が発光して、フォトトランジスタ（19e）が動作するから、グランド（GND）と外部電源端子（19a）とが電気的に接続状態となる。そのため、検知部（19b）には、上記第２の発明と同様に、コネクタ（18a）により両短絡ライン（17a,17b）が接続されていないときにはハイレベルの電圧が入力され、コネクタ（18a）により両短絡ライン（17a,17b）が接続されたときにはローレベルの電圧が入力される。
【００１６】
第４の発明は、第１〜３の何れか１つの発明において、空気調和装置は、リモコン（30）と、前記異常検知手段（23）が補助回路（17）の接続異常を検知した場合に、該接続異常をリモコン（30）に報知する報知手段（23）とをさらに備えていることを特徴とする。
【００１７】
第４の発明では、異常検知手段（23）が補助回路（17）の接続異常を検知した場合には、報知手段（23）により補助回路（17）の接続異常がリモコン（30）に報知される。
【発明の効果】
【００１８】
第１の発明によれば、待機状態に移行可能な空気調和装置において補助回路（17）の両短絡ライン（17a,17b）がコネクタ（18a）で接続されているときには、異常検出手段（23）により補助回路（17）の接続異常が検知されるから、設置作業者は、補助回路（17）の両短絡ライン（17a,17b）が誤って接続されていることに気づき得る。これにより、設置作業者は、両短絡ライン（17a,17b）を非接続状態に設定し直すことができる。従って、ユーザーが待機状態に移行可能な空気調和装置を使用したときに、室外機（10）への電力供給を遮断することができないという事態が回避され、装置の円滑な運転を可能にして、信頼性を向上することができる。
【００１９】
第２の発明によれば、検知部（19b）は、ローレベルの電圧が入力されたときに補助回路（17）の両短絡ライン（17a,17b）が接続されたことを検知することができる。
【００２０】
また、短絡検出手段（19）を、両短絡ライン（17a,17b）を接続するコネクタ（18a）を利用して構成したために、部品点数を削減して簡易な構成で両短絡ライン（17a,17b）が接続されたことを検出することができる。
【００２１】
第３の発明によれば、第２の発明と同様に、検知部（19b）は、ローレベルの電圧が入力されたときに補助回路（17）の両短絡ライン（17a,17b）が接続されたことを検知することができる。
【００２２】
第４の発明によれば、異常検知手段（23）が補助回路（17）の接続異常を検知した場合には、報知手段（23）によりリモコン（30）に補助回路（17）の接続異常が報知されるから、設置作業者は、補助回路（17）の両短絡ライン（17a,17b）が誤って接続されていることに確実に気付き、両短絡ライン（17a,17b）を非接続状態に設定し直すことができる。従って、ユーザーが待機状態に移行可能な空気調和装置を使用したときに、室外機（10）への電力供給を遮断することができないという事態がより確実に回避され、信頼性を向上することができる。
【図面の簡単な説明】
【００２３】
【図１】図１は、実施形態に係る空気調和装置の全体構成を示す図である。
【図２】図２は、室外機と、待機電力対応機種の室内機と、待機電力対応機種のリモコンとが接続されたときの空気調和装置（サスペンド状態）の電装系統ブロック図である。
【図３】図３は、強制起動機構付近の拡大図である。
【図４】図４は、接続プラグが短絡コネクタに差し込まれているときの図３相当図である。
【図５】図５は、空気調和装置の状態遷移図である。
【図６】図６は、平滑コンデンサに充電される回路が形成された時点のリレーの状態を示す図である。
【図７】図７は、充電状態への移行が完了した後のリレーの状態を示す図である。
【図８】図８は、ウエイト状態におけるリレーの状態を示す図である。
【図９】図９は、運転状態におけるリレーの状態を示す図である。
【図１０】図１０は、室外機と、待機電力未対応機種の室内機と、待機電力未対応機種のリモコンとが接続されたときの空気調和装置の電装系統ブロック図である。
【図１１】図１１は、強制起動機構の設定ミスを検知するためのフローチャートである。
【図１２】図１２は、サスペンド状態への移行可否を判定するためのフローチャートである。
【図１３】図１３は、短絡検出部の変形例を示す図である。
【発明を実施するための形態】
【００２４】
以下、本発明の実施形態を図面に基づいて詳細に説明する。尚、以下の好ましい実施形態の説明は、本質的に例示に過ぎない。
《実施形態》
〈全体構成〉
図１は、本発明の実施形態にかかる空気調和装置（1）の全体構成を示す図である。この空気調和装置（1）は、機種仕様が異なる室内機と室外機とを組み合わせて利用可能な空気調和装置である。
【００２５】
空気調和装置（1）は、室外機（10）、室内機（20）、及びリモートコントローラ（以下、リモコンと略記する）（30）を備えている。
【００２６】
室外機（10）は、運転停止中に電力供給を遮断可能な待機電力対応機種で構成される。      
【００２７】
室内機（20）は、電力供給が遮断された待機電力対応機種の室外機（10）に電力供給を開始して、該室外機（10）を起動させる起動手段を有する待機電力対応機種又は前記起動手段を有しない待機電力未対応機種で構成される。
【００２８】
リモコン（30）は、室外機（10）への電力供給を遮断するための遮断要求信号を室内機（20）に送信する待機電力対応機種又は前記遮断要求信号を室内機（20）に送信しない待機電力未対応機種で構成される。
【００２９】
以下、本発明を具体的に説明していく。
【００３０】
図２は、室外機（10）と待機電力対応機種の室内機（20）と待機電力対応機種のリモコン（30）とが接続されたときの空気調和装置（1）の電装系統ブロック図である。
【００３１】
空気調和装置（1）では、室外機（10）で、商用交流電源（40）から交流(この例では２００Ｖの三相交流)を受電して室外機（10）内の回路や電動圧縮機（不図示）の電力として用いる他、その三相交流の２相分を室内機（20）に給電するようになっている。また、室外機（10）と室内機（20）との間では、室内機（20）側から室外機（10）を制御するため等の目的で、通信を行うようになっている。そのため、空気調和装置（1）では、商用交流電源（40）（以下、単に交流電源とも言う）からの交流電力を送電する電力配線（L）と、前記信号を伝送する信号線（S）と、前記交流電力の送電と前記信号の伝送に共用する共通線（N）との３線（内外配線）が室外機（10）と室内機（20）との間に設けられている。この実施形態では、電力配線（L）は、室外機（10）において交流電源（40）のＲ相に接続され、共通線（N）は、室外機（10）において交流電源（40）のＳ相に接続されている。すなわち、室内機（20）は、交流電源（40）のＲ相及びＳ相に接続されて単相交流が供給されている。
【００３２】
〈室外機（10）〉
室外機（10）は、電装系統として、第１室外電源回路（14）、第２室外電源回路（12）、室外機伝送回路（11）、室外制御回路（13）、室外記憶部（15）、強制起動機構（16）及びリレー（K13R,K14R,K15R）を備えている。尚、図示は省略するが、室外機（10）には、電動圧縮機、室外熱交換器、室外ファン、膨張弁などの機器が設けられている。
【００３３】
−第１室外電源回路（14）−
第１室外電源回路（14）は、交流電源（40）から受電した３相交流を直流に変換し、いわゆるインテリジェントパワーモジュール（Intelligent Power Module、以下、ＩＰＭと略記する）や室外ファンモータに供給する。尚、ＩＰＭは、入力された直流を所定の周波数及び電圧の交流に変換し、前記電動圧縮機のモータに給電する。この第１室外電源回路（14）は、ノイズフィルタ（14a）、２つのメインリレー（14b）、２つのダイオードブリッジ回路（14c）、リアクトル（14d）、及び平滑コンデンサ（14e）を有している。
【００３４】
ノイズフィルタ（14a）は、コンデンサとコイルで形成されている。２つのメインリレー（14b）は、前記三相交流のＲ相、Ｔ相の供給ラインにそれぞれ設けられている。２つのダイオードブリッジ回路（14c）のうち、一方は、前記三相交流のＲ相及びＳ相を入力とし、もう一方は、前記三相交流のＳ相及びＴ相を入力とし、入力された交流をそれぞれ全波整流する。これらのダイオードブリッジ回路（14c）の出力は、リアクトル（14d）を介して平滑コンデンサ（14e）に入力され、平滑コンデンサ（14e）で平滑化される。平滑コンデンサ（14e）で平滑化された直流は、前記ＩＰＭや室外ファンモータに供給される。
【００３５】
−第２室外電源回路（12）−
第２室外電源回路（12）は、前記三相交流のＲ相及びＳ相の２相を直流（この例では５Ｖ）に変換し、室外制御回路（13）に供給する。この第２室外電源回路（12）は、ダイオードブリッジ回路（12a）、平滑コンデンサ（12b）、及びスイッチング電源（12c）を備えている。
【００３６】
ダイオードブリッジ回路（12a）は、一方の入力が、リレー（K13R）を介して前記三相交流のＲ相の電源ライン（40a）に接続され、もう一方の入力が、前記三相交流のＳ相の電源ライン（40a）に接続されている。ダイオードブリッジ回路（12a）の出力は、平滑コンデンサ（12b）で平滑化された後に、スイッチング電源（12c）に入力される。スイッチング電源（12c）は、例えばＤＣ-ＤＣコンバータで構成され、入力された直流を所定の電圧（５Ｖ）に変換して室外制御回路（13）に出力する。
【００３７】
−室外機伝送回路（11）−
室外機伝送回路（11）は、室内機伝送回路（21）との間で信号の送受信による通信を行う。この通信では、信号線（S）と共通線（N）との間の電位差に基づいて、ハイレベル及びローレベルの２値のデジタル信号の通信を行う。室内機伝送回路（21）内の通信回路（図示は省略）は、一端が共通線（N）に接続され、通信回路の他端はリレー（K14R）を介して信号線（S）に接続されている。
【００３８】
−リレー（K13R）−
リレー（K13R）は、運転停止中に前記三相交流のＲ相の電源ライン（40a）を遮断して交流電源（40）から第２室外電源回路（12）への電力供給が遮断される後述するサスペンド状態にするスイッチであって、第２室外電源回路（12）への交流供給の経路を切り替えるリレーである。リレー（K13R）は、いわゆるＣ接点リレーで構成されている。詳しくは、リレー（K13R）は、２つの固定接点と、ひとつの可動接点を有し、該リレー（K13R）のコイル（不図示）に通電されていない場合は、一方の固定接点（ノーマルクローズ接点とよぶ）と可動接点とが接続され、該コイルに通電されると、もう一方の固定接点（ノーマルオープン接点とよぶ）と可動接点とが接続される。リレー（K13R）の切換え（コイルへの通電の有無）は、室外制御回路（13）が制御する。
【００３９】
リレー（K13R）の可動接点は、ダイオードブリッジ回路（12a）の入力に接続されている。また、ノーマルクローズ接点は、信号線（S）に接続され、ノーマルオープン接点は、前記三相交流のＲ相の電源ライン（40a）に接続されている。すなわち、リレー（K13R）のコイルに通電されていない場合は、ノーマルクローズ接点と可動接点とが接続されて、ダイオードブリッジ回路（12a）の一方の入力は信号線（S）に接続される。リレー（K13R）のコイルに通電されると、可動接点とノーマルオープン接点とが接続されて、第２室外電源回路（12）のダイオードブリッジ回路（12a）に交流が入力される状態になる。
【００４０】
−リレー（K14R）−
リレー（K14R）は、信号線（S）と室外機伝送回路（11）との接続（オン）及び非接続（オフ）を切り替えるリレーである。リレー（K14R）のオンオフは、室外制御回路（13）が制御する。
【００４１】
−リレー（K15R）−
リレー（K15R）は、室外機伝送回路（11）への電力供給の有無を切り替えるリレーである。リレー（K15R）をオンにすれば、交流電源（40）から室外機伝送回路（11）に電力供給され、リレー（K15R）をオフにすれば、交流電源（40）から室外機伝送回路（11）への電力供給が断たれる。リレー（K15R）のオンオフは、室外制御回路（13）が制御する。
【００４２】
−室外制御回路（13）−
室外制御回路（13）は、マイクロコンピュータと、それを動作させるプログラムを格納したメモリを含んでいる。室外制御回路（13）は、例えば室外機伝送回路（11）が室内機伝送回路（21）から受信した信号に応じて前記電動圧縮機等の制御を行う他、室外機（10）の起動時の制御も行う。
【００４３】
−室外記憶部（15）−
室外記憶部（15）は、室外制御回路（13）に接続されている。
【００４４】
室外記憶部（15）には、室外機（10）が待機電力対応機種であるか否かを示す機種仕様情報（「１」、「０」のビット）が予め記憶されている。
【００４５】
−強制起動機構（16）−
強制起動機構（16）は、室外機（10）に待機電力未対応機種の室内機（20）が接続されたときに、室外機（10）を強制的に起動させるための機構である。この強制起動機構（16）は、図２，３に示すように、前記三相交流のＲ相の電源ライン（40a）にリレー（K13R)を迂回するように接続された補助回路（17）と、接続部（18）とを備えている。
【００４６】
補助回路（17）は、前記三相交流のＲ相の電源ライン（40a）におけるリレー（K13R）のノーマルオープン接点側に接続された第１短絡ライン（17a）と、前記三相交流のＲ相の電源ライン（40a）におけるリレー（K13R）の可動接点側に接続された第２短絡ライン（17b）とを有している。
【００４７】
第２短絡ライン（17b）には、アノードが当該第２短絡ライン（17b）と電源ライン（40a）との接続ノード（ND3）に接続されたダイオード（D3）が設けられている。
【００４８】
接続部（18）は、第１短絡ライン（17a）と第２短絡ライン（17b）とを接続可能な短絡コネクタ（18a）と、両短絡ライン（17a,17b）が接続されていることを検出する短絡検出手段としての短絡検出部（19）とを有している。
【００４９】
短絡コネクタ（18a）は、コネクタ本体（18b）と、４極の接続プラグ（18c）とで構成されている（図４参照）。
【００５０】
コネクタ本体（18b）には、接続プラグ（18c）に対応して４つのプラグ差込孔（18d,18d,…）が設けられている。そして、このプラグ差込孔（18d,18d,…）のうち、２つのプラグ差込孔（18d,18d）に対応する箇所に、第１、２短絡ライン（17a,17b）が接続されている。
【００５１】
短絡検出部（19）は、グランド（GND）と、外部電源（この例では、５Ｖ）が供給される外部電源端子（19a）と、該外部電源端子（19a）に抵抗を介して接続された検知部としてのマイクロプロセッサ（19b）（以下、ＭＰＵと略記する）とを備えている。
【００５２】
グランド（GND）は、第１、２短絡ライン（17a,17b）と接続されていない残り２つのプラグ差込孔（18d,18d）の一方に抵抗を介して接続されており、外部電源端子（19a）及びＭＰＵ（19b）は、上記残り２つのプラグ差込孔（18d,18d）の他方に接続されている。
【００５３】
この強制起動機構（16）では、接続プラグ（18c）がコネクタ本体（18b）のプラグ差込孔（18d,18d,…）に差し込まれていると、第１、２短絡ライン（17a,17b）が接続されて、補助回路（17）が導通すると共に、外部電源端子（19a）とグランド（GND）とが接続される。一方、接続プラグ（18c）がコネクタ本体（18b）のプラグ差込孔（18d,18d,…）から抜き取られていると、第１、２短絡ライン（17a,17b）が切り離されて、補助回路（17）が遮断すると共に、外部電源端子（19a）とグランド（GND）とが切り離される。そのため、ＭＰＵ（19b）には、短絡コネクタ（18a）により両短絡ライン（17a,17b）が接続されていないときにハイレベルの電圧が入力され、短絡コネクタ（18a）により両短絡ライン（17a,17b）が接続されたときにローレベルの電圧が入力される。従って、ＭＰＵ（19b）は、ローレベルの電圧が入力されたときに、補助回路（17）の両短絡ライン（17a,17b）が接続されていることを検知する。
【００５４】
〈室内機（20）〉
室内機（20）は、電装系統として、室内電源回路（22）、室内機伝送回路（21）、室内制御回路（23）、室外記憶部（24）、リレー（K2R）、第１ダイオード（D1）、及び第２ダイオード（D2）を備えている。尚、図示は省略するが、室内機（20）には、室内熱交換器、室内ファンなどの機器が設けられている。
【００５５】
−室内電源回路（22）−
室内電源回路（22）は、ノイズフィルター（22a）、ダイオードブリッジ回路（22b）、平滑コンデンサ（22c）、及びスイッチング電源（22d）を有している。この室内電源回路（22）は、電力配線（L）及び共通線（N）を介して交流電源（40）から供給された交流を直流（この例では５Ｖの直流）に変換し、室内制御回路（23）に供給する。
【００５６】
ノイズフィルター（22a）は２つのコイルで形成されている。ダイオードブリッジ回路（22b）は、ノイズフィルター（22a）を介して電力配線（L）及び共通線（N）から入力された交流を全波整流する。平滑コンデンサ（22c）は、例えば電解コンデンサで形成され、ダイオードブリッジ回路（22b）の出力を平滑化する。スイッチング電源（22d）は、例えばＤＣ-ＤＣコンバータなどで構成され、平滑コンデンサ（22c）が平滑化した直流を所定の電圧（５Ｖ）に変換して室内制御回路（23）に出力する。
【００５７】
−室内機伝送回路（21）−
室内機伝送回路（21）は、既述の通り、室外機伝送回路（11）との間で信号の通信を行う。この通信では、信号線（S）と共通線（N）との間の電位差に基づいて通信を行うので、室内機伝送回路（21）の通信回路の一端は信号線（S）に接続され、通信回路の他端は共通線（N）に接続されている。
【００５８】
−リレー（K2R）−
リレー（K2R）は、電力配線（L）と信号線（S）とを結ぶバイパス線（B）に設けられており、電力配線（L）と信号線（S）との接続及び非接続を切り替えるリレーである。このリレー（K2R）は、電力供給が遮断された室外機（10）に対し電力供給を開始する起動手段として機能する。そして、リレー（K2R）をオンにすれば、電力配線（L）と信号線（S）とが接続され、リレー（K2R）をオフにすれば、電力配線（L）と信号線（S）とが切断される。リレー（K2R）のオンオフは、室内制御回路（23）が制御する。
【００５９】
−第１ダイオード（D1）−
第１ダイオード（D1）は、アノードがバイパス線（B）と信号線（S）との接続ノード（ND1）に接続され、カソードがリレー（K2R）に接続されている。この第１ダイオード（D1）は、室内機伝送回路（21）へ流入する方向の交流電流を阻止する機能を有する。
【００６０】
−第２ダイオード（D2）−
第２ダイオード（D2）は、アノードが信号線（S）の接続ノード（ND1）に接続され、カソードが室内機伝送回路（21）における信号入力ノード（ND2）に接続されている。この第２ダイオード（D2）は、室内機伝送回路（21）から流出する方向の交流電流を阻止する機能を有する。
【００６１】
−室内制御回路（23）−
室内制御回路（23）は、マイクロコンピュータと、それを動作させるプログラムを格納したメモリを含んでいる。また、室内制御回路（23）は、リモコン（30）からの指令を受けて、空気調和装置（1）の運転の状態を制御する。この室内制御回路（23）は、後述するように強制起動機構（16）の設定ミスを検知する異常検知手段として機能する。また、室内制御回路（23）は、強制起動機構（16）の設定ミスを検知した場合に、該異常をリモコン（30）に報知する報知手段も兼ねている。
【００６２】
−室内記憶部（24）−
室内記憶部（24）は、室内制御回路（23）に接続されている。この室内機記憶部（24）には、室内機（20）が待機電力対応機種であるか否かを示す機種仕様情報（「１」、「０」のビット）が予め記憶されている。
【００６３】
〈リモートコントローラ（30）〉
リモコン（30）は、ユーザーの操作を受け付けるとともに、ユーザーの操作に応じた信号を室内制御回路（23）に送信する。ユーザーは、例えば、リモコン（30）のボタン操作により、空気調和装置（1）の運転開始、停止、設定温度調整などを行えるようになっている。このリモコン（30）は、リモコン記憶部（31）を備えたワイヤードリモコンで構成されている。
【００６４】
−リモコン記憶部（31）−
リモコン記憶部（31）には、リモコン（30）が待機電力対応機種か否かを示す機種仕様情報（「１」、「０」のビット）が予め記憶されている。
【００６５】
<強制起動機構の設定>
空気調和装置（1）の出荷時には、図４に示すように、接続プラグ（18c）がコネクタ本体（18b）に差し込まれている。そこで、空気調和装置（1）の設置作業者は、装置の設置時に、室内機（20）が待機電力対応機種であるか否かを判定する。そして、作業者は、室内機（20）が待機電力対応機種であると判定した場合には、コネクタ本体（18b）から接続プラグ（18c）を抜き取る作業を行う。ここでは、室内機（20）が待機電力対応機種であるから、図３に示すように、コネクタ本体（18b）から接続プラグ（18c）が抜き取られている。そのため、第１短絡ライン（17a）と第２短絡ライン（17b）とが切り離されて、補助回路（17）が遮断されている。
【００６６】
〈空気調和装置の動作〉
図５は、空気調和装置（1）の状態遷移図である。空気調和装置（1）は、以下に説明するサスペンド状態、充電状態、ウエイト状態、及び運転状態の４つの状態を遷移する。尚、本明細書中において、待機電力とは「機器が非使用状態、若しくは何らかの入力（命令指示等）待ちの時に定常的に消費している電力」をいう。具体的に、空気調和装置（1）では、リモコン（30）の待ち受けのみを行うのに必要な電力が待機電力である。
【００６７】
（１）サスペンド状態
サスペンド状態とは、室内機（20）には電力が供給され、室外機（10）には電力が供給されていない状態である。このサスペンド状態が本発明に係る待機状態である。
【００６８】
本実施形態のサスペンド状態は、一例として、空気調和装置（1）全体として消費電力が最小になる状態となっている。具体的に、本実施形態のサスペンド状態では、室外機（10）は電力を受電してそれを室内機（20）へ供給はするが、室外機（10）内部の各回路や前記電動圧縮機などには電力が供給されていない状態である。即ち、サスペンド状態のときには、室外制御回路（13）も電力供給が断たれて動作が停止する。このように、サスペンド状態では、室外機（10）の各回路への電力供給が断たれ、待機電力の低減を図ることができる。
【００６９】
一方、室内機（20）でも、待機電力が最小となる状態ではあるが、室外機（10）とは異なり、室内制御回路（23）におけるリモコン（30）からの信号受信にかかわる部分は、室内電源回路（22）から電力を受けて動作している。
【００７０】
また、リモコン（30）でも、待機電力が最小となる状態ではあるが、ユーザーのボタン操作の受け付けは可能な状態である。尚、室内機（20）及びリモコン（30）の消費電力（待機電力）の程度は、これに限られない。
【００７１】
（２）充電状態
充電状態とは、室外機（10）では、第２室外電源回路（12）の平滑コンデンサ（12b）に充電される経路が形成され、室外機伝送回路（11）と室内機伝送回路（21）の間の信号伝送が開始されるまでの期間における状態をいう。このとき、室内機（20）の電力消費は、サスペンド状態と同様である。
【００７２】
（３）ウエイト状態
ウエイト状態とは、運転開始時には上記充電状態を抜けた状態であり、運転停止時には運転状態（後述）から遷移する状態であり、何れも、室外機（10）が、即時、運転状態へ移行可能な状態をいう。ウエイト状態では、室外機伝送回路（11）も室外制御回路（13）も動作している。特に、運転停止時のウエイト状態（運転状態から遷移するウエイト状態）は、電動圧縮機における冷媒圧力を均圧させるためや、運転開始と運転停止を繰り返すスケジュール運転が設定されている場合などのために設けられており、その時間は例えば１０分である。なお、室内機（20）の電力消費はサスペンド状態と同様である。
【００７３】
（４）運転状態
運転状態とは、メインリレー（14b）をオンにして、電動圧縮機や室外ファンが運転可能な状態、若しくは運転している状態をいう。いわゆる欠相通電やサーモオフ状態もこれに相当する。なお、室内機（20）では、室内ファン等が運転状態となり、電力消費は、前記の各状態よりも増える。そして、この運転状態を除く、サスペンド状態、充電状態、ウエイト状態が本明細書中における「運転停止中」に相当する。
【００７４】
−運転開始動作−
空気調和装置（1）では、運転開始する場合には、図４に実線矢印で示した順で、サスペンド状態から運転状態に遷移する。
【００７５】
〈サスペンド状態における電装系統〉
まず、サスペンド状態における電装系統の状態を図２を参照しながら説明する。
【００７６】
室外機（10）では、メインリレー（14b）がオフ状態であり、第１室外電源回路（14）に電力供給されず、第１室外電源回路（14）から前記ＩＰＭや室外ファンモータに電力が供給されていない。
【００７７】
リレー（K14R）及びリレー（K15R）もオフ状態である。そのため、室外機伝送回路（11）は、信号線（S）との接続が断たれていると共に、電力の供給も断たれている。  
【００７８】
リレー（K13R）は、ノーマルクローズ接点と可動接点とが接続された状態であり、第２室外電源回路（12）のダイオードブリッジ回路（12a）の一方の入力が信号線（S）に接続されている。この状態では、第２室外電源回路（12）に電力供給されず、室外制御回路（13）への給電も行われていない。このように、サスペンド状態では、室外機（10）は、電力供給が遮断されている。
【００７９】
一方、室内機（20）では、リレー（K2R）がオフ状態であり、信号線（S）と電力配線（L）とが電気的に非接続状態である。
【００８０】
〈サスペンド状態から充電状態への移行〉
図６は、平滑コンデンサ（12b）に充電される回路が形成された時点の各リレーの状態を示す図である。また、図７は、充電状態への移行が完了した後の各リレーの状態を示す図である。
【００８１】
例えばユーザーがリモコン（30）で運転開始操作をすると、リモコン（30）から室内機（20）に運転指令信号が送信される。
【００８２】
室内機（20）は、運転指令信号を受信すると、室内制御回路（23）がリレー（K2R）をオンにする。そうすると、空気調和装置（1）では、前記三相交流のＲ相から、電力配線（L）、リレー（K2R）、第１ダイオード（D1）、信号線（S）、及びリレー（K13R）を介してダイオードブリッジ回路（12a）の一方の入力に到る送電経路が形成される。ダイオードブリッジ回路（12a）の他方の入力は、前記三相交流のＳ相に接続されているので、ダイオードブリッジ回路（12a）には、第１ダイオード（D1）で半波整流された単相交流が供給される。こうして、平滑コンデンサ（12b）に充電される回路が形成された状態になる（図６参照）。
【００８３】
一方、室外機（10）では、平滑コンデンサ（12b）が充電されてスイッチング電源（12c）への入力が安定し、スイッチング電源（12c）が規定の直流電圧（この例では５Ｖ）を出力できるようになると、室外制御回路（13）が起動する。起動した室外制御回路（13）は、リレー（K13R）のコイルに通電させて、ノーマルオープン接点と可動接点とを接続状態とする。これにより、ダイオードブリッジ回路（12a）の一方の入力は、前記三相交流のＲ相に、室外機（10）の電源ライン（40a）を介して接続される。すなわち、室外制御回路（13）は、信号線（S）を経由せずに交流電源（40）から電力供給された状態に切り換わる（図７参照）。こうして、サスペンド状態から充電状態への移行が完了する。
【００８４】
〈充電状態からウエイト状態への移行〉
図８は、ウエイト状態への移行完了時における各リレーの状態を示す図である。室内機（20）では、リレー（K2R）をオンにしてから所定の時間(室外制御回路（13）が起動するのに十分な時間)が経過した後に、リレー（K2R）をオフにする。これにより、信号線（S）を信号の送受信に使用できるようになる。
【００８５】
室外機（10）では、リレー（K2R）がオフになったのを見計らって、室外制御回路（13）は、リレー（K15R）をオンにし、室外機伝送回路（11）に電力が供給された状態にすると共に、リレー（K14R）をオンにする。これにより、室外機伝送回路（11）内の通信回路が、信号線（S）及び共通線（N）を介して室内機伝送回路（21）と接続され、室内機伝送回路（21）と通信可能な状態になる。こうして、空気調和装置（1）は、前記充電状態を抜け、即時運転状態へ移行可能なウエイト状態となる。
【００８６】
〈ウエイト状態から運転状態への移行〉
図９は、運転状態における各リレーの状態を示す図である。ウエイト状態から運転状態への移行する際には、室外制御回路（13）は、２つのメインリレー（14b）をオンにする。これにより、第１室外電源回路（14）によって、前記ＩＰＭや室外ファンモータに電力が供給されて、電動圧縮機などが運転状態になる。そうして、空気調和装置（1）では、室外機（10）と室内機（20）とが通信しながら、冷房運転又は暖房運転が行われる。
【００８７】
−運転停止動作−
運転停止する場合には、図５に破線矢印で示した順で、運転状態からサスペンド状態に遷移する。  
【００８８】
運転状態において、例えばユーザがリモコン（30）で運転停止操作をすると、運転状態、ウエイト状態、サスペンド状態の順に遷移する。以下、運転状態からサスペンド状態までの動作を順に説明する。
【００８９】
<運転状態からウエイト状態への移行>
ユーザーがリモコン（30）で運転停止操作をすると、リモコン（30）から室内機（20）に運転停止信号が送信され、室内機（20）から室外機（10）に運転停止信号が送信される。
【００９０】
室外機（10）では、運転停止信号を受信すると、室外制御回路（13）がメインリレー（K14b）をオンからオフに切り換える。これにより、上記ＩＰＭや室外ファンモータへの電力供給が遮断されて、電動圧縮機等が停止する。こうして、運転状態からウエイト状態への移行が完了する（図８参照）。
【００９１】
〈ウエイト状態からサスペンド状態への移行〉
ユーザがリモコン（30）で運転停止操作をすると、リモコン（30）では、所定のサスペンド移行禁止条件が判定される。このサスペンド移行禁止条件は、例えばユーザーがリモコン（30）で運転停止操作をした時刻がスケジューリング機能で予約された運転開始予定時刻から所定時間以内である場合には、ウエイト状態からサスペンド状態への移行を禁止するというものである。上記サスペンド移行禁止条件に該当しない場合には、リモコン（30）から室内機（20）に遮断要求信号が送信され、室内機（20）から室外機（10）に遮断要求信号が送信される。
【００９２】
室外機（10）では、遮断要求信号を受信すると、室外制御回路（13）がリレー（K14R）及びリレー（K15R）をオフにする。これにより、室外機伝送回路（11）と室内機伝送回路（21）との接続が断たれ、室外機（10）と室内機（20）とが通信することができなくなる。また、室内制御回路（13）は、リレー（K13R）をノーマルオープン接点と可動接点とが接続された状態からノーマルクローズ接点と可動接点とが接続された状態に切り換える。これにより、第２室外機電源部（12）への電力供給が遮断される。また、室外機（10）は、リレー（K13R,K14R,K15R）を作動させる直前に、室内機（20）へ遮断実施信号を送信する。こうして、サスペンド状態への移行が完了する（図２参照）。
【００９３】
−強制起動動作−
本空気調和装置（1）は、図１０に示すように、室外機（10）と待機電力未対応機種の室内機（20）とを組み合わせて利用することができる。しかしながら、待機電力未対応機種の室内機（20）は、前記待機電力対応機種の室内機（20）と異なりリレー（K2R）を有していないため、サスペンド状態にある室外機（10）を起動させることができない。
【００９４】
そこで、空気調和装置（1）の設置作業者は、強制起動機構（16）の設定時に、コネクタ本体（18b）から接続プラグ（18c）を抜き取らず、図４に示すように、接続プラグ（18c）をコネクタ本体（18b）に差し込んだままに設定する。こうすることで、補助回路（17）が導通し、交流電源（40）からリレー（K13R）を迂回して第２室外電源回路（12）に到る経路が形成される。これにより、交流電源（40）から第２電源回路（12）を介して室外制御回路（13）に常時電力が供給される。こうして、室外機（10）を起動させることができる。尚、この場合には、空気調和装置（1）は、サスペンド状態にはならず、ウエイト状態と運転状態との２つの状態になる。
【００９５】
−強制起動機構の設定ミスの検知−
本空気調和装置（1）では、上述したように、強制起動機構（16）の設定を設置作業者が現場で判断して行っている。そのため、設置作業者が強制起動機構（16）の設定を誤ってしまう虞がある。そして、室外機（10）と待機電力対応機種の室内機（20）とを組み合わせて利用するときに強制起動機構（16）の設定を誤る、即ち、短絡コネクタ（18）から接続プラグ（18c）を抜き取ることを忘れると、交流電源（40）から補助回路（17）を介して第２室外電源回路（12）に到る経路が形成されているため、室外機（10）への電力供給を遮断することができないという事態が起きる。
【００９６】
そこで、本空気調和装置（1）では、室外機（10）と室内機（20)とリモコン（30）とを接続して初めて起動させたときに、待機電力対応機種の室内機（20）の室内制御回路（23）が強制起動機構（16）の設定ミスを検知するように構成している。
【００９７】
具体的には、室内制御回路（23）は、図１１に示すフローチャートに基づいて、強制起動機構（16）の設定ミスを検知する。即ち、まずステップＳ１では、室内制御回路（23）は、サスペンド状態に移行可能か否かを判定する。このサスペンド状態への移行可否の判定処理は、図１２に示すフローチャートに基づいて実行される。
【００９８】
即ち、ステップＳ１ａでは、室内制御回路（23）は、室外記憶部（15）及びリモコン記憶部（31）から室外機（10）及びリモコン（30）の機種仕様情報を取得する。
【００９９】
続くステップＳ１ｂでは、室内制御回路（23）は、機種仕様情報に基づいて、室外機（10）、室内機（20）、及びリモコン（30）が待機電力対応機種であるか否かを判定する。室外機（10）、室内機（20）、及びリモコン（30）が全て待機電力対応機種である場合には、ステップＳ１ｃに移行する一方、室外機（10）、室内機（20）、及びリモコン（30）の何れかが待機電力対応機種でない場合には、ステップＳ１ｄに移行する。
【０１００】
ステップＳ１ｃでは、サスペンド状態に移行可能と判定される。一方、ステップＳ１ｄでは、サスペンド状態に移行不可と判定される。
【０１０１】
そうして、再び図１１に示すフローチャートに戻って、サスペンド状態に移行可能と判定された場合には、ステップＳ２に移行する一方、サスペンド状態に移行不可と判定された場合には、処理を終了する。
【０１０２】
ステップＳ２では、短絡検出部（19）で第１短絡ライン（17a）と第２短絡ライン（17b）とが接続されていることが検出されているか否かを判定する。短絡検出部（19）で両短絡ライン（17a,17b）が接続されていることが検出されている場合には、ステップＳ３に移行する一方、短絡検出部（19）で両短絡ライン（17a,17b）が接続されていないことが検出されている場合には、処理を終了する。
【０１０３】
ステップＳ３では、室内制御回路（23）は、補助回路（17）の接続異常を検知する。こうして、室内制御回路（23）は、強制起動機構（16）の設定ミスを検知する。
【０１０４】
室内制御回路（23）は、補助回路（17）の接続異常を検知すると、リモコン（30）に補助回路（17）の接続異常を報知する。
【０１０５】
<実施形態の効果>
本実施形態によれば、サスペンド状態に移行可能なときに、装置の設置作業者が強制起動機構（16）の設定を誤る、即ち、コネクタ本体（18b）から接続プラグ（18c）を抜き取ることを忘れると、室内制御回路（23）が補助回路（17）の接続異常を検知する。そうして、室内制御回路（23）からリモコン（30）に補助回路（17）の接続異常が報知される。これにより、設置作業者は、コネクタ本体（18b）から接続プラグ（18c）を抜き取ることを忘れていたことに確実に気付き、接続プラグ（18c）をコネクタ本体（18b）から抜き取ることができる。従って、ユーザーがサスペンド状態に移行可能な空気調和装置（1）を使用したときに、室外機（10）への電力供給を遮断することができないという事態が回避され、装置の円滑な運転を可能にでき、信頼性を向上することができる。
【０１０６】
また、短絡検出部（19）を、第１、２短絡ライン（17a,17b）を接続する短絡コネクタ（18ａ）を利用して構成したために、部品点数を削減して簡易な構成で両短絡ライン（17a,17b）が接続されたことを検出することができる。
【０１０７】
《変形例》
本変形例は、図１３に示すように、短絡検出部の構成が上記実施形態と異なる。そこで、短絡検出部の構成を中心に説明する。尚、図１３において、上記実施形態と同様の構成には同一の符号を付している。
【０１０８】
短絡コネクタ(18ａ)は、４極ではなく、２極の接続プラグ（18c）をコネクタ本体（18b）に差し込むことにより第１短絡ライン（17a）と第２短絡ライン（17b）とを接続することができるように構成されている。
【０１０９】
短絡検出部（19）は、グランド（GND）と、外部電源（この例では、５Ｖ）が供給される外部電源端子（19a）と、該外部電源端子（19a）に抵抗を介して接続された検知部としてのマイクロプロセッサ（19b）（以下、ＭＰＵと略記する）と、フォトカプラ（19c）とを備えている。
【０１１０】
第２短絡ライン（17b）には、一端が前記三相交流のＳ相の電源ライン（40a）に接続された検出ライン（19f）の他端が接続されている。
【０１１１】
検出ライン（19f）には、第２短絡ライン（17b）側から前記三相交流のＳ相の電源ライン（40a）側に向かって順に、分圧抵抗（R1）と分圧抵抗（R2）とが直列に接続されている。
【０１１２】
フォトカプラ（19c）の発光ダイオード（19d）は、分圧抵抗（R2）と並列に設けられている。これにより、発光ダイオード（19d）は、第１短絡ライン（17a）と第２短絡ライン（17b）とが接続されたときに発光するように構成されている。
【０１１３】
フォトカプラ（19c）のフォトトランジスタ（19e）は、外部電源端子（19a）とグランド（GND）との間に接続されている。
【０１１４】
この構成によると、短絡コネクタ（18a）により第１短絡ライン（17a）と第２短絡ライン（17b）とが接続されていないときには、発光ダイオード（19d）が発光せず、フォトトランジスタ（19e）が動作しない。そのため、グランド（GND）と外部電源端子（19a）とが電気的に略非接続状態である。一方、短絡コネクタ（18a）により第１短絡ライン（17a）と第２短絡ライン（17b）とが接続されたときには、発光ダイオード（19d）が発光して、フォトトランジスタ（19e）が動作するから、グランド（GND）と外部電源端子（19a）とが電気的に接続状態となる。そのため、ＭＰＵ（19b）には、短絡コネクタ（18a）により第１短絡ライン（17a）と第２短絡ライン（17b）とが接続されていないときにはハイレベルの電圧が入力され、短絡コネクタ（18a)により第１短絡ライン（17a）と第２短絡ライン（17b）が接続されたときにはローレベルの電圧が入力される。従って、ＭＰＵ（19b）は、ローレベルの電圧が入力されたときに、補助回路（17）の両短絡ライン（17a,17b）が接続されていることを検知する。
《その他の実施形態》
本発明は、上記実施形態について、以下のようにしてもよい。
【０１１５】
即ち、サスペンド状態への移行可否の判定処理において、室外機（10）、室内機（20）、及びリモコン（30）が全て待機電力対応機種の場合にのみサスペンド状態へ移行可能と判定したが、強制起動機構の設定ミスの検知という観点ではこうする必要はない。具体的には、図１２中、ステップＳ１ａにおいて室外機（10）及びリモコン（30）の機種仕様情報を取得せずに、ステップＳ１ｂにおいて室内機（20）が待機電力対応機種である場合に、サスペンド状態に移行可能と判定する一方、室内機（20）が待機電力未対応機種である場合に、サスペンド状態に移行不可と判定する。
【０１１６】
また、室内制御回路（23）が強制起動機構（16）の設定ミス（補助回路（17）の接続異常）を検知するようにしたが、これに限られず、例えば室外制御回路（13）が強制起動機構（16）の設定ミスを検知するようにしてもよい。
【産業上の利用可能性】
【０１１７】
本発明は、強制起動機構の設定ミスを検知して、空気調和装置の円滑な運転を可能にし、信頼性を向上することができる点で有用である。
【符号の説明】
【０１１８】
１                空気調和装置
１０              室外機
１３              室外制御回路
１７              補助回路
１７ａ            第１短絡ライン
１７ｂ            第２短絡ライン
１８              接続部
１８ａ            コネクタ
１９              短絡検出部（短絡検出手段）
１９ａ            外部電源端子
１９ｂ            マイクロプロセッサ（検知部）
１９ｃ            フォトカプラ
１９ｄ            発光ダイオード
１９ｅ            フォトトランジスタ
２０              室内機
２３              室内制御回路（異常検知手段、報知手段）
３０              リモートコントローラ（リモコン）
４０              交流電源
４０ａ            電源ライン
Ｋ２Ｒ            リレー（起動手段）
Ｋ１３Ｒ          リレー（スイッチ）
ＧＮＤ            グランド
【図１】
0005246324.tif 000002
【図２】
0005246324.tif 000003
【図３】
0005246324.tif 000004
【図４】
0005246324.tif 000005
【図５】
0005246324.tif 000006
【図６】
0005246324.tif 000007
【図７】
0005246324.tif 000008
【図８】
0005246324.tif 000009
【図９】
0005246324.tif 000010
【図１０】
0005246324.tif 000011
【図１１】
0005246324.tif 000012
【図１２】
0005246324.tif 000013
【図１３】
0005246324.tif 000014